(57)【要約】【課題】ＲＦＩＤタグによって店舗や企業の広告を行い、ＲＦＩＤタグの設置を促進させる。【解決手段】ＲＦＩＤアンテナ装置は、位置情報と共に付加情報を送信し、携帯電話端末は、ＲＦＩＤアンテナ装置から送信された位置情報と共に付加情報を表示する。また、ＲＦＩＤアンテナ装置は、位置情報を付加情報と共に記憶し、この記憶された付加情報を外部からの操作に応じて書き換えることができる。あるいは、複数の付加情報が記憶され、予め指定された期間または曜日または時間帯に予め指定されたいずれかの付加情報を位置情報と共に送信することができる。また、目的地と現在地点との距離情報を、目的地近傍のＲＦＩＤアンテナ装置と現在位置近傍のＲＦＩＤアンテナ装置との距離に基づき計算し、携帯電話端末は、距離情報を受信して距離の長短を自携帯電話端末の振動パターンに変換して表示する。【選択図】図３
2008236651.tif 000002
【特許請求の範囲】
【請求項１】
位置情報を送信するＲＦＩＤアンテナ装置と、
この位置情報を受信して表示する携帯電話端末と
を備え、
前記携帯電話端末からの位置情報の取得要求に応じて当該携帯電話端末近傍の前記ＲＦＩＤアンテナ装置が位置情報を送信する
位置情報提供システムにおいて、
前記ＲＦＩＤアンテナ装置は、位置情報と共に付加情報を送信する手段を備え、
前記携帯電話端末は、前記ＲＦＩＤアンテナ装置から送信された前記位置情報と共に前記付加情報を表示する手段を備えた
ことを特徴とする位置情報提供システム。
【請求項２】
前記ＲＦＩＤアンテナ装置は、
前記位置情報を前記付加情報と共に記憶する手段と、
この記憶する手段に記憶された前記付加情報を外部からの操作に応じて書き換える付加情報書換手段と
を備えた請求項１記載の位置情報提供システム。
【請求項３】
前記記憶する手段には、複数の前記付加情報が記憶され、
予め指定された期間または曜日または時間帯に予め指定されたいずれかの前記付加情報を前記位置情報と共に送信する付加情報変更手段を備えた
請求項２記載の位置情報提供システム。
【請求項４】
前記付加情報書換手段または前記付加情報変更手段は、予め登録された操作者を認証した後にアクセスを許可する手段を備えた請求項２または３記載の位置情報提供システム。
【請求項５】
前記携帯電話端末の利用者が予め指定した目的地と前記携帯電話端末の利用者の現在地点との距離情報を、前記目的地近傍に設置された前記ＲＦＩＤアンテナ装置と前記現在位置近傍に設置された前記ＲＦＩＤアンテナ装置との距離に基づき計算する手段を含む位置情報管理サーバを備えた請求項１ないし４のいずれかに記載の位置情報提供システム。
【請求項６】
前記携帯電話端末は、前記距離情報を受信して表示する距離情報表示手段を備え、
この距離情報表示手段は、距離の長短を自携帯電話端末の振動パターンに変換して表示する手段を備えた
請求項５記載の位置情報提供システム。
【請求項７】
位置情報を送信するＲＦＩＤアンテナ装置と、
この位置情報を受信して表示する携帯電話端末と
を備え、
前記携帯電話端末からの位置情報の取得要求に応じて当該携帯電話端末近傍の前記ＲＦＩＤアンテナ装置が位置情報を送信する
位置情報提供システムに適用される前記ＲＦＩＤアンテナ装置において、
位置情報と共に付加情報を送信する手段を備えた
ことを特徴とするＲＦＩＤアンテナ装置。
【請求項８】
前記位置情報を前記付加情報と共に記憶する手段と、
この記憶する手段に記憶された前記付加情報を外部からの操作に応じて書き換える付加情報書換手段と
を備えた請求項７記載のＲＦＩＤアンテナ装置。
【請求項９】
前記記憶する手段には、複数の前記付加情報が記憶され、
予め指定された期間または曜日または時間帯に予め指定されたいずれかの前記付加情報を前記位置情報と共に送信する付加情報変更手段を備えた
請求項８記載のＲＦＩＤアンテナ装置。
【請求項１０】
前記付加情報書換手段または前記付加情報変更手段は、予め登録された操作者を認証した後にアクセスを許可する手段を備えた請求項８または９記載のＲＦＩＤアンテナ装置。
【請求項１１】
請求項１ないし６のいずれかに記載の位置情報提供システムに設けられ、
前記携帯電話端末の利用者が予め指定した目的地と前記携帯電話端末の利用者の現在地点との距離情報を、前記目的地近傍に設置された前記ＲＦＩＤアンテナ装置と前記現在位置近傍に設置された前記ＲＦＩＤアンテナ装置との距離に基づき計算する手段を備えた
位置情報管理サーバ。
【請求項１２】
位置情報を送信するＲＦＩＤアンテナ装置と、
この位置情報を受信して表示する携帯電話端末と
を備え、
前記携帯電話端末からの位置情報の取得要求に応じて当該携帯電話端末近傍の前記ＲＦＩＤアンテナ装置が位置情報を送信する
位置情報提供システムに適用される前記携帯電話端末において、
前記ＲＦＩＤアンテナ装置から送信された位置情報および付加情報を表示する手段を備えた
ことを特徴とする携帯電話端末。
【請求項１３】
前記携帯電話端末は、請求項１１記載の位置情報管理サーバにより計算された前記距離情報を受信して表示する距離情報表示手段を備え、
この距離情報表示手段は、距離の長短を自携帯電話端末の振動パターンに変換して表示する手段を備えた
請求項１２記載の携帯電話端末。
【請求項１４】
ＲＦＩＤアンテナ装置が位置情報を送信し、
携帯電話端末がこの位置情報を受信して表示し、
前記携帯電話端末からの位置情報の取得要求に応じて当該携帯電話端末近傍の前記ＲＦＩＤアンテナ装置が位置情報を送信する
位置情報提供方法において、
前記ＲＦＩＤアンテナ装置が、位置情報と共に付加情報を送信し、
前記携帯電話端末が、前記ＲＦＩＤアンテナ装置から送信された前記位置情報と共に前記付加情報を表示する
ことを特徴とする位置情報提供方法。
【請求項１５】
前記ＲＦＩＤアンテナ装置が、前記位置情報を前記付加情報と共に記憶しておき、この記憶された前記付加情報を外部からの操作に応じて書き換える請求項１４記載の位置情報提供方法。
【請求項１６】
前記ＲＦＩＤアンテナ装置が、複数の前記付加情報を記憶しておき、予め指定された期間または曜日または時間帯に予め指定されたいずれかの前記付加情報を前記位置情報と共に送信する請求項１４記載の位置情報提供方法。
【請求項１７】
前記付加情報の書き換え、または、前記期間または曜日または時間帯の指定は、予め登録された操作者を認証した後にアクセスを許可する請求項１４または１６記載の位置情報提供方法。
【請求項１８】
位置情報管理サーバが、前記携帯電話端末の利用者が予め指定した目的地と前記携帯電話端末の利用者の現在地点との距離情報を、前記目的地近傍に設置されたＲＦＩＤアンテナ装置と前記現在位置近傍に設置されたＲＦＩＤアンテナ装置との距離に基づき計算する請求項１４ないし１７のいずれかに記載の位置情報提供方法。
【請求項１９】
前記携帯電話端末が、前記距離情報を受信して表示し、
この表示を行う際には、距離の長短を前記携帯電話端末の振動パターンに変換して表示する
請求項１８記載の位置情報提供方法。
【請求項２０】
汎用の情報処理装置にインストールすることにより、その汎用の情報処理装置に、請求項７ないし１０のいずれかに記載のＲＦＩＤアンテナ装置の情報処理機能に相応する機能を実現させるプログラム。
【請求項２１】
汎用の情報処理装置にインストールすることにより、その汎用の情報処理装置に、請求項１１記載の位置情報管理サーバの機能に相応する機能を実現させるプログラム。
【請求項２２】
汎用の携帯電話端末が有する汎用の情報処理装置にインストールすることにより、その汎用の情報処理装置に、請求項１２または１３のいずれかに記載の携帯電話端末の機能に相応する機能を実現させるプログラム。
【発明の詳細な説明】
【技術分野】
【０００１】
本発明は、携帯電話端末の利用者に位置情報を提供するサービスに利用する。特に、ＲＦＩＤ(Radio
Frequency Identifier) タグを利用した位置情報の提供システムに関する。
【背景技術】
【０００２】
従来、携帯電話端末による位置情報提供サービスは通信キャリアまたはアプリケーションサービス事業者（以下、ＡＳＰと記す）により提供され、その位置情報は通信キャリアの移動端末通信局における携帯電話端末の接続状況やＧＰＳなどから提供されている（例えば、特許文献１または４参照）。
【０００３】
あるいは、道路の適当な位置に設置されたＲＦＩＤタグからの電波を受信することにより位置情報を取得する（例えば、特許文献３または５参照）。
【０００４】
【特許文献１】特開２００４−３１２６９４号公報
【特許文献２】特開２００５−１６５４１８号公報
【特許文献３】特開２００５−１８９２２５号公報
【特許文献４】特開２００６−１１８８９１号公報
【特許文献５】特許第３７６９２５７号
【発明の開示】
【発明が解決しようとする課題】
【０００５】
従来主流となっているＧＰＳを利用した携帯電話端末による位置情報提供サービスでは地下など電波不達あるいはＧＰＳ利用不可の範囲で当該のサービスを享受できない。
【０００６】
したがって、将来、ＲＦＩＤタグが広く街中に設置された場合には、従来のＧＰＳを利用した携帯電話端末による位置情報提供サービスに替わり、ＲＦＩＤタグを利用した位置情報提供サービスが主流となることも予想できる。
【０００７】
ここで、ＲＦＩＤタグの普及を促進させる一つの方法として、店舗や企業などが自己の広告を兼ねて自社の建物や設備にＲＦＩＤタグを積極的に設置すれば、国や地方自治体による公共事業としてのＲＦＩＤタグの設置と合わせて設置箇所の増加を促進させることができる。このような計画を早急に実現させるためには、ＲＦＩＤタグの設置が店舗や企業の経営者にとって魅力的なものでなければならない。
【０００８】
しかしながら、従来は、位置情報を取得するためのＲＦＩＤタグによって店舗や企業の広告を行うといった提案は無い。
【０００９】
本発明は、このような背景の下に行われたものであって、位置情報を取得するためのＲＦＩＤタグによって店舗や企業の広告を行い、ＲＦＩＤタグの設置を促進させることができる位置情報提供システムおよびＲＦＩＤアンテナ装置および携帯電話端末を提供することを目的とする。
【課題を解決するための手段】
【００１０】
本発明は、位置情報を送信するＲＦＩＤアンテナ装置と、この位置情報を受信して表示する携帯電話端末とを備え、前記携帯電話端末からの位置情報の取得要求に応じて当該携帯電話端末近傍の前記ＲＦＩＤアンテナ装置が位置情報を送信する位置情報提供システムである。
【００１１】
ここで、本発明の特徴とするところは、前記ＲＦＩＤアンテナ装置は、位置情報と共に付加情報を送信する手段を備え、前記携帯電話端末は、前記ＲＦＩＤアンテナ装置から送信された前記位置情報と共に前記付加情報を表示する手段を備えたところにある。
【００１２】
これによれば、単に位置情報を提供するだけではなく、付加情報として、例えば、携帯電話端末の現在位置の近傍にある店舗や企業の広告を提供することができる。したがって、店舗や企業は、自己の広告活動の一つとしてＲＦＩＤアンテナ装置の設置を進めることができ、民間主導によるＲＦＩＤアンテナ装置の設置を促進させることができる。
【００１３】
また、前記ＲＦＩＤアンテナ装置は、前記位置情報を前記付加情報と共に記憶する手段と、この記憶する手段に記憶された前記付加情報を外部からの操作に応じて書き換える付加情報書換手段とを備えることができる。
【００１４】
これによれば、ＲＦＩＤアンテナ装置の設置主である店舗や企業は、付加情報の内容を自由に書き換えることができ、常時、最新情報を顧客に提供することができる。
【００１５】
あるいは、前記記憶する手段には、複数の前記付加情報が記憶され、予め指定された期間または曜日または時間帯に予め指定されたいずれかの前記付加情報を前記位置情報と共に送信する付加情報変更手段を備えることができる。
【００１６】
これによれば、ＲＦＩＤアンテナ装置の設置主である店舗や企業は、予め複数の付加情報をＲＦＩＤアンテナ装置に記憶させておき、これらの付加情報を送信する期間または曜日または時間帯を予め指定しておくことにより、自動的に、付加情報を更新することができ、付加情報更新担当者の利便性を向上させることができる。
【００１７】
ただし、前記付加情報書換手段または前記付加情報変更手段は、予め登録された操作者を認証した後にアクセスを許可する手段を備えることが望ましい。これによれば、不正な付加情報の変更などを防止することができるため付加情報管理の安全性を向上させることができる。
【００１８】
また、前記携帯電話端末の利用者が予め指定した目的地と前記携帯電話端末の利用者の現在地点との距離情報を、前記目的地近傍に設置された前記ＲＦＩＤアンテナ装置と前記現在位置近傍に設置された前記ＲＦＩＤアンテナ装置との距離に基づき計算する手段を含む位置情報管理サーバを備えることができる。
【００１９】
これによれば、従来のＧＰＳを利用した位置情報提供サービスにおいて地下など電波不達あるいはＧＰＳ利用不可の範囲で位置情報提供サービスを享受できなかった場所でも目的地と現在地点との距離を知ることができる。
【００２０】
さらに、前記携帯電話端末は、前記距離情報を受信して表示する距離情報表示手段を備え、この距離情報表示手段は、距離の長短を自携帯電話端末の振動パターンに変換して表示する手段を備えることが望ましい。これによれば、移動中あるいは懐中にしまった状態でも自動的に振動パターンが更新され、目的地への距離を生体感覚として認識出来るので、自動車運転中や視覚障害者であっても位置情報提供サービスを利用することができる。
【００２１】
なお、特許文献４にも携帯電話端末の振動を利用する技術が開示されているが、特許文献４では目的地に対する進行方向のずれを検知して通知することが目的であり、目的地までの距離を計算して通知するものではない。
【００２２】
また、本発明をＲＦＩＤアンテナ装置としての観点から観ることもできる。すなわち、本発明は、本発明の位置情報提供システムに適用される前記ＲＦＩＤアンテナ装置であって、本発明の特徴とするところは、位置情報と共に付加情報を送信する手段を備えたところにある。
【００２３】
また、前記位置情報を前記付加情報と共に記憶する手段と、この記憶する手段に記憶された前記付加情報を外部からの操作に応じて書き換える付加情報書換手段とを備えることができる。
【００２４】
あるいは、前記記憶する手段には、複数の前記付加情報が記憶され、予め指定された期間または曜日または時間帯に予め指定されたいずれかの前記付加情報を前記位置情報と共に送信する付加情報変更手段を備えることができる。
【００２５】
ただし、前記付加情報書換手段または前記付加情報変更手段は、予め登録された操作者を認証した後にアクセスを許可する手段を備えることが望ましい。
【００２６】
また、本発明を位置情報管理サーバとしての観点から観ることもできる。すなわち、本発明は、本発明の位置情報提供システムに設けられ、前記携帯電話端末の利用者が予め指定した目的地と前記携帯電話端末の利用者の現在地点との距離情報を、前記目的地近傍に設置された前記ＲＦＩＤアンテナ装置と前記現在位置近傍に設置された前記ＲＦＩＤアンテナ装置との距離に基づき計算する手段を含む。
【００２７】
また、本発明を携帯電話端末としての観点から観ることもできる。すなわち、本発明は、本発明の位置情報提供システムに適用される前記携帯電話端末であって、本発明の特徴とするところは、前記ＲＦＩＤアンテナ装置から送信された位置情報および付加情報を表示する手段を備えたところにある。
【００２８】
また、前記携帯電話端末は、前記ＲＦＩＤアンテナ装置から送信される距離情報を受信して表示する距離情報表示手段を備えることもできる。このときには、前記距離情報表示手段は、距離の長短を自携帯電話端末の振動パターンに変換して表示する手段を備えることができる。
【００２９】
また、本発明を位置情報提供方法としての観点から観ることもできる。すなわち、本発明は、前記ＲＦＩＤアンテナ装置が、位置情報と共に付加情報を送信し、前記携帯電話端末が、前記ＲＦＩＤアンテナ装置から送信された前記位置情報と共に前記付加情報を表示することを特徴とする位置情報提供方法である。
【００３０】
また、前記ＲＦＩＤアンテナ装置が、前記位置情報を前記付加情報と共に記憶しておき、この記憶された前記付加情報を外部からの操作に応じて書き換えることができる。
【００３１】
あるいは、前記ＲＦＩＤアンテナ装置が、複数の前記付加情報を記憶しておき、予め指定された期間または曜日または時間帯に予め指定されたいずれかの前記付加情報を前記位置情報と共に送信することができる。
【００３２】
ただし、前記付加情報の書き換え、または、前記期間または曜日または時間帯の指定は、予め登録された操作者を認証した後にアクセスを許可することが望ましい。
【００３３】
さらに、位置情報管理サーバが、前記携帯電話端末の利用者が予め指定した目的地と前記携帯電話端末の利用者の現在地点との距離情報を、前記目的地近傍に設置された前記ＲＦＩＤアンテナ装置と前記現在位置近傍に設置された前記ＲＦＩＤアンテナ装置との距離に基づき計算することができる。
【００３４】
さらに、前記携帯電話端末が、前記距離情報を受信して表示することもできる。前記表示を行う際には、距離の長短を前記携帯電話端末の振動パターンに変換して表示することができる。
【００３５】
また、本発明をプログラムとしての観点から観ることもできる。すなわち、本発明は、汎用の情報処理装置にインストールすることにより、その汎用の情報処理装置に、本発明のＲＦＩＤアンテナ装置の情報処理機能に相応する機能を実現させるプログラムである。
【００３６】
あるいは、本発明は、汎用の情報処理装置にインストールすることにより、その汎用の情報処理装置に、本発明の位置情報管理サーバの機能に相応する機能を実現させるプログラムである。
【００３７】
あるいは、本発明は、汎用の携帯電話端末が有する汎用の情報処理装置にインストールすることにより、その汎用の情報処理装置に、本発明の携帯電話端末の機能に相応する機能を実現させるプログラムである。
【００３８】
本発明のプログラムは記録媒体に記録されることにより、前記汎用の情報処理装置は、この記録媒体を用いて本発明のプログラムをインストールすることができる。あるいは、本発明のプログラムを保持するサーバからネットワークを介して直接前記汎用の情報処理装置に本発明のプログラムをインストールすることもできる。
【００３９】
これにより、汎用の情報処理装置を用いて、本発明のＲＦＩＤアンテナ装置の情報処理機能に相応する機能を実現することができる。あるいは、汎用の情報処理装置を用いて、本発明の位置情報管理サーバの機能に相応する機能を実現することができる。あるいは、汎用の携帯電話端末が有する汎用の情報処理装置を用いて、本発明の携帯電話端末の機能に相応する機能を実現することができる。
【００４０】
なお、本発明のプログラムは、汎用の情報処理装置によって直接実行可能なものだけでなく、ハードディスクなどにインストールすることによって実行可能となるものも含む。また、圧縮されたり、暗号化されたりしたものも含む。
【発明の効果】
【００４１】
本発明によれば、位置情報を取得するためのＲＦＩＤタグによって店舗や企業の広告を行い、ＲＦＩＤタグの設置を促進させることができる。これにより、ＲＦＩＤタグを用いた位置情報提供サービスの普及を図ることができる。
【発明を実施するための最良の形態】
【００４２】
本発明の実施の形態の位置情報提供システムを図面に基づいて説明する。まず、本システムの全体構成を図１に示す。インターネット１０を介してＡＳＰ２０とルータ３１、４１、５１がＩＰレベルの通信可能な状態にあるものとする。
【００４３】
ＡＳＰ２０は位置情報管理サーバ２１を利用して位置情報提供サービスを提供するサービスプロバイダであり、企業Ａ３０、企業Ｂ４０、公共施設５０は、ＡＳＰ２０に対して宣伝請負顧客の位置づけであり、ＡＳＰ２０が提供する位置情報提供サービスにおけるＲＦＩＤアンテナ装置３２、４２、５２の設置などの協力的な立場にある。携帯電話端末１００、１１０、１２０は、通話機能の他、インターネット接続、ＷＥＢブラウジング機能およびＲＦＩＤ通信機能を有するものとする。
【００４４】
次に、本システムにおける各機能動作を図２〜図４を参照して説明する。位置情報提供サービスをユーザが利用するにあたり、事前にＡＳＰ２０にインターネットアクセスし、利用申請を行うことを前提とする。携帯電話端末におけるＷＥＢブラウザー機能は既知の技術であるため説明を省略するが、申請内容として、ユーザが所有する携帯電話端末の電話番号（図４、「電話番号」列に登録）、位置情報の検索対象となる携帯電話端末の電話番号（図４、「検索対象の携帯端末番号」列に登録）あるいは、ＡＳＰ２０に事前登録している建物や施設を登録する。
【００４５】
同時に、サービスの利用期限を設定する（図４、「期限」列に登録）。利用期限を過ぎると位置情報管理サーバ２１上からデータが消去される。また、位置情報提供サービスを開始または停止することも申請をする（図４、「サービス」列に登録）。登録状態から開始状態に遷移すると、位置情報管理サーバ２１はサービス利用な携帯電話端末を判別するための認証キーを発行する（図４、「認証キー」列に登録）。
【００４６】
図２は、図１における携帯電話端末１００、１１０、１２０の内部に組み込まれた機能ブロック図である。各キャリア毎に販売されている携帯電話端末で汎用性を持たせるため、図２のＲＦＩＤインタフェースの受信部３１０および送信部３２０を除き、携帯電話端末に内蔵するメモリ空間上で動作するソフトウェアモジュールで構成されるものとしてもよい。
【００４７】
図３は、図１におけるＲＦＩＤアンテナ装置３２、４２、５２内部の機能ブロック図である。ＲＦＩＤデータを送受信するＲＦＩＤインタフェースの送信部４５０および受信部４６０と、Ｅｔｈｅｒｎｅｔ（登録商標）などのＬＡＮデータを送受信するＬＡＮインタフェースの受信部４１０および送信部４２０と、ＲＦＩＤアンテナ装置４００の設置情報（例として緯度、経度などの絶対座標）および設置場所に関連する付加情報（例として、設置されている建物の名称、階数、店舗名、宣伝広告情報、周辺でのイベント情報など）が格納される位置情報および付加情報記憶部４４０とを備え、位置情報および付加情報制御部４７０により付加情報は設置場所を提供している企業Ａ３０，企業Ｂ４０、公共施設５０の内部の担当者によって適宜書き換え可能なものとする。
【００４８】
ここで、図１の携帯電話端末１００のユーザが、携帯電話端末１１０の位置情報を得るサービスを実行する場合について説明する。すなわち、携帯電話端末１００のユーザは、携帯電話端末１１０の現在位置に向かって移動を希望しているがそのための経路が不明であるため、携帯電話端末１１０の位置情報を得ようとしている。
【００４９】
図１において、携帯電話端末１００への位置情報は、携帯電話端末１００の直近の企業Ａ３０に備えてあるＲＦＩＤアンテナ装置３２から提供されるが、このときに、企業Ａ３０に関する広告としての付加情報も位置情報と共に携帯電話端末１００に送信される。
【００５０】
まず、携帯電話端末１００のユーザは、携帯電話端末１００内部の、図２における電話番号メモリ３８０に自身の電話番号をセットし、前記認証キーを認証キーメモリ３９０にセットする。セットされたデータは認証判定部３５０に通知され、位置情報を受信する際に図１のＡＳＰ２０が送信したデータであることを判定するために用いられる。
【００５１】
また、図２のＲＦＩＤインタフェースの送信部３２０にも通知され、電話番号と認証キーとを合わせたデータグラムとして格納され、携帯電話端末１００が図１のＲＦＩＤアンテナ装置３２の有効範囲内にいるときに送信される。
【００５２】
図１のＲＦＩＤアンテナ装置３２にて前記の電話番号と認証キーとを合わせたデータグラムを受信すると、図３のＲＦＩＤインタフェースの受信部４６０に格納され、データ合成部４３０に通知される。
【００５３】
データ合成部４３０では図１のＲＦＩＤアンテナ装置３２の設置位置情報と付加情報とを受信したデータグラムに付加し、ＬＡＮインタフェースの送信部４２０に通知し、ＵＤＰ／ＩＰパケット化（宛先ＩＰアドレスは図１のＡＳＰ２０）およびＥｔｈｅｒｎｅｔなどのフレーム化を行った後に、図１のルータ３１に受け渡される。ＮＡＰＴ処理などの後、図１のルータ３１はＡＳＰ２０向けに当該のＩＰパケットを転送する。
【００５４】
ここで、位置情報管理サーバ２１の特徴および処理手順を図５および図６を参照して説明する。図５は位置情報管理サーバ２１における本発明の特徴である距離情報計算および振動パターンデータ作成を行う機能ブロックを示す要部ブロック構成図である。図６は位置情報管理サーバ２１の処理手順を示すフローチャートである。
【００５５】
図５に示すように、位置情報管理サーバ２１は、位置情報および付加情報取得部２００、距離計算部２０１、振動パターンデータ作成部２０２、情報送信部２０３を備え、距離計算部２０１は、携帯電話端末１００の利用者が予め指定した目的地と携帯電話端末１００の利用者の現在地点との距離情報を、目的地近傍に設置されたＲＦＩＤアンテナ装置４２と現在位置近傍に設置されたＲＦＩＤアンテナ装置３２との距離に基づき計算する。
【００５６】
図６に示すように、位置情報管理サーバ２１が、図１のＡＳＰ２０にて位置情報要求に関するＩＰパケットを受信すると（Ｓ１）、要求のあったパケット内部の電話番号、認証キーが、自身が管理するデータベース（データベースのイメージは図４）に登録されているかどうかを確認する（Ｓ２）。電話番号および認証キーの組み合わせが一致しない場合には、受信したパケットは破棄され（Ｓ１０）、位置情報検索処理は初期状態に戻る。
【００５７】
一致した場合には（Ｓ３）、位置情報要求元の携帯電話端末１００のサービスが開始状態になっているかどうか確認する（Ｓ４）。開始状態でない場合（つまり図４の該当するレコードにて「サービス」が「開始」以外の場合）は受信したパケットは破棄され（Ｓ１０）、位置情報検索処理は初期状態に戻る。
【００５８】
開始状態の場合には、事前に登録された検索対象の電話番号を持つ携帯電話端末１１０が、本サービスを開始しているかどうかを確認する（Ｓ５）。開始していない場合には、受信したパケットは破棄され（Ｓ１０）、位置情報検索処理は初期状態に戻る（例として、図１における携帯電話端末１２０のような状態。図４のデータベース上のＮｏ３のレコード上のデータが該当する）。
【００５９】
開始している場合（例として、図１における携帯端末１１０のような状態。図４のデータベース上のＮｏ２のレコード上のデータが該当する）には（Ｓ５）、位置情報および付加情報取得部２００により要求元のＲＦＩＤアンテナ装置３２の位置情報がデータベース上に取り込まれる（図４、「位置情報」の列）。合わせて付加情報（図４、「付加情報」の列にある“広告（企業Ａ）”）も取り込む（Ｓ６）。取り込まれた付加情報の内容は公序良俗に反しない内容かどうかＡＳＰ２０の事業責任として管理し、必要であれば削除することとしてもよい。
【００６０】
さらに、位置情報および付加情報取得部２００は、検索対象である携帯電話端末１１０の位置情報としてＲＦＩＤアンテナ装置４２の位置情報も取り込む（Ｓ６）。距離計算部２０１は、データベース上の位置情報列に含まれる絶対座標の差分より、図１のＲＦＩＤアンテナ装置３２とＲＦＩＤアンテナ装置４２との間の距離を計算する（計算方法は数学的に既知のため省略するが、付近の地形や道路の状態を考慮した数値に変換してもよい）（Ｓ７）。振動パターンデータ作成部２０２は、距離計算部２０１による計算結果の距離に応じ、図１の携帯電話端末１００に通知すべき振動パターンデータを作成する（Ｓ８）。これらの各種情報は、情報送信部２０３によりＡＳＰ２０に送信される（Ｓ９）。
【００６１】
ＡＳＰ２０は前記振動パターン、携帯電話端末１００の電話番号、認証キーおよび付加情報をデータグラムとしたパケットを生成し、図１の企業Ａ３０のルータ３１宛てに送信する。
【００６２】
図１のインターネット１０を介し、ＡＳＰ２０より送信されたパケットは企業Ａ３０のルータ３１にて受信され、ＮＡＰＴ変換などの処理をした後、フォワーディングされ、ＲＦＩＤアンテナ装置３２に受け渡される。
【００６３】
図１のＲＦＩＤアンテナ装置３２で受信したＥｔｈｅｒｎｅｔ形式のフレームは、図３のＬＡＮインタフェースの受信部４１０に格納され、図１の携帯電話端末１００に通知すべき情報（振動パターン、携帯電話端末１００の電話番号、認証キーおよび付加情報）を取り出し、図３のＲＦＩＤインタフェースの送信部４５０に通知する。
【００６４】
ＲＦＩＤインタフェースの送信部４５０に格納されたデータは、図１のＲＦＩＤアンテナ装置３２の有効範囲内に携帯電話端末１００が存在するときに、携帯電話端末１００に当該データを送信する。
【００６５】
図１の携帯電話端末１００が、図１のＡＳＰ２０から送信された各種データを、図２のＲＦＩＤインタフェースの受信部３１０で受信する。ＲＦＩＤインタフェースの受信部３１０は、振動パターン、電話番号、認証キーおよび付加情報を取り出し、振動パターンデータはデコード部３４０へ、電話番号および認証キーデータは認証判定部３５０へ、付加情報は付加情報処理部３３０へ通知する。
【００６６】
認証判定部３５０では、既に電話番号メモリ３８０および認証キーメモリ３９０から通知されたデータが格納されており、ＲＦＩＤインタフェースの受信部３１０から通知された電話番号および認証キーデータとの照合を行う。
【００６７】
照合の結果、不一致の場合はＲＦＩＤインタフェースの受信部３１０にて受信した位置情報データは破棄される。一致した場合は、付加情報表示部３６０および振動制御部３７０に対し、機能動作を許可する通知を行う。
【００６８】
図２のデコード部３４０では、ＲＦＩＤインタフェースの受信部３１０から通知された振動パターンデータを取り込み、図１の携帯電話端末１００を振動パターンに従った振動をさせるための命令を作成（デコードし）、図２の振動制御部３７０に通知する。
【００６９】
図２の振動制御部３７０は、デコード部３４０から、図１の携帯電話端末１００を振動パターンに従った振動をさせるための命令を受け、認証判定部３５０から機能動作の許可を通知されていた場合のみ、図１の携帯電話端末１００を振動させる。図２の認証判定部３５０から機能動作の許可を通知されていない場合は、デコード部３４０から通知される命令は実行されない。
【００７０】
図２の付加情報処理部３３０では、ＲＦＩＤインタフェースの受信部３１０から通知された付加情報を取り込み、各携帯事業者が定義する文字コード変換を行い、付加情報表示部３６０へ変換データを通知する。付加情報が存在しない場合は、表示するデータがないことを付加情報表示部３６０へ変換データを通知する。
【００７１】
図２の付加情報表示部３６０は、付加情報処理部３３０から付加情報を受け、認証判定部３５０から機能動作の許可を通知されていた場合のみ、携帯電話端末１００のディスプレイなどに表示させる。付加情報が存在しない場合あるいは認証判定部３５０から機能動作の許可を通知されていない場合は表示しない。
【００７２】
図１の携帯電話端末１００を有するユーザは、携帯電話端末１１０および公共施設５０の近傍に設置されたＲＦＩＤアンテナ装置４２または５２までの距離を、携帯電話端末１００の振動パターンを通じて認識することが可能となる。またＲＦＩＤインタフェースを介する通信はユーザによる操作を伴わないため、移動中、懐中にしまった状態でも自動的に振動パターンが更新され、目的地までの距離を生体感覚として認識出来る。
【００７３】
このとき、携帯電話端末１００の表示画面には、付加情報として企業Ａの広告が表示される。携帯電話端末１００の利用者は、振動パターンを通じて目的地までの距離を生体感覚として認識する他に、表示画面を見ることができる状況下である場合には、表示画面を目視確認し、自分の現在位置周辺の情報（ここでは企業Ａの広告）を得ることができる。
【００７４】
併せて途中経路上のＲＦＩＤアンテナ装置３２、４２、５２に設定された付加情報を自動的に受信するため、経路の正当性や目的地に至る周辺情報を確認することも可能である。
【００７５】
振動パターンの例を図７に示す。目的地との距離が遠い場合には、長い振動期間の後に短い２回の振動期間を設ける。さらに、目的地に近づいた場合には、長い振動期間の後に短い１回の振動期間を設ける。目的地近傍では、短い振動期間を連続させる。
【００７６】
付加情報の表示例を図８に示す。携帯電話端末の表示画面を見ることができる状況でないときには、振動表示（図８（ａ））により目的地との距離情報を得ることができる。携帯電話端末の表示画面を見ることができる状況下では、画像表示（図８（ｂ））された付加情報を見ることができる。図８の例では企業Ａの広告が表示されている。また、振動表示と画像表示とを同時に利用することもできる（図８（ｃ））。
【００７７】
本位置情報提供サービスを運営するにあたり、利用者を対象に課金する形態が一般的だが、ＡＳＰ２０のようなサービス提供事業者は、企業や公共施設などにＲＦＩＤアンテナ装置を設置し、前記付加情報に基づいた広告宣伝の自由度を与える代償として、位置情報提供サービス運営に関わる費用を拠出させ、サービス利用者は無料で本サービスを利用できる、という形態として利用者を拡大する形態も考えられる。
【００７８】
また、携帯電話端末個々に共通的な認証キーを設定することで、放送形態の情報提供サービスも考えられる。特に近隣の災害に関する情報などを聴覚障害のある方へ提供する有効な手段として用いてもよい。
【００７９】
なお、本実施例では、振動パターンによって目的地との距離を生体感覚として認識する例を示したが、従来どおり、携帯電話端末の表示画面上に現在位置または目的地までの経路などの地図情報またはテキスト情報を位置情報として表示してもよい。さらに、振動パターンによる距離情報の表示と表示画面上の地図情報の表示とを両方行ってもよい。
【００８０】
（その他の実施例）
その他の実施例を図９を参照して説明する。図９はその他の実施例における付加情報の登録例を示す図である。本実施例では、位置情報および付加情報記憶部４４０に、複数の付加情報が記憶され、位置情報および付加情報制御部４７０は、予め指定された期間または曜日または時間帯に予め指定されたいずれかの付加情報を位置情報と共にＡＳＰ２０に送信する。本実施例の場合にも操作者の認証を行った後にアクセスを許可することが望ましい。
【００８１】
これによれば、ＲＦＩＤアンテナ装置の設置主である店舗や企業は、予め複数の付加情報を位置情報および付加情報記憶部４４０に記憶させておき、これらの付加情報を送信する期間または曜日または時間帯を予め指定しておくことにより、位置情報および付加情報制御部４７０が自動的に付加情報を更新することができ、付加情報更新担当者の利便性を向上させることができる。
（プログラムの実施例）
汎用の情報処理装置にインストールすることにより、その汎用の情報処理装置に、本実施例のＲＦＩＤアンテナ装置３２、４２、５２の情報処理機能または位置情報管理サーバ２１の機能に相応する機能を実現させるプログラムおよび汎用の携帯電話端末が有する汎用の情報処理装置にインタフェースすることにより、その汎用の情報処理装置に、本実施例の携帯電話端末１００、１１０、１２０の機能に相応する機能を実現させるプログラムの実施例を説明する。
【００８２】
本実施例のプログラムは記録媒体に記録されることにより、前記汎用の情報処理装置は、この記録媒体を用いて本実施例のプログラムをインストールすることができる。あるいは、本実施例のプログラムを保持するサーバからネットワークを介して直接前記汎用の情報処理装置に本実施例のプログラムをインストールすることもできる。
【００８３】
これにより、汎用の情報処理装置または汎用の携帯電話端末が有する汎用の情報処理装置を用いて、本実施例のＲＦＩＤアンテナ装置３２、４２、５２の情報処理機能または位置情報管理サーバ２１の機能または携帯電話端末１００、１１０、１２０の機能に相応する機能を実現することができる。
【００８４】
なお、本実施例のプログラムは、汎用の情報処理装置によって直接実行可能なものだけでなく、ハードディスクなどにインストールすることによって実行可能となるものも含む。また、圧縮されたり、暗号化されたりしたものも含む。
【産業上の利用可能性】
【００８５】
本発明によれば、位置情報を取得するためのＲＦＩＤタグによって店舗や企業の広告を行い、ＲＦＩＤタグの設置を促進させることに利用できる。これにより、ＲＦＩＤタグを用いた位置情報提供サービスの普及に利用できる。
【図面の簡単な説明】
【００８６】
【図１】本実施例の位置情報提供システムの全体構成図。
【図２】本実施例の携帯電話端末のブロック構成図。
【図３】本実施例のＲＦＩＤアンテナ装置のブロック構成図。
【図４】本実施例の位置情報管理サーバのデータベース構成図。
【図５】本実施例の位置情報管理サーバの要部ブロック構成図。
【図６】本実施例の位置情報管理サーバの処理手順を示すフローチャート。
【図７】振動パターンの例を示す図。
【図８】携帯電話端末の画像表示例を示す図。
【図９】その他の実施例の付加情報の登録例を示す図。
【符号の説明】
【００８７】
１０  インターネット
２０  ＡＳＰ
２１  位置情報管理サーバ
３０  企業Ａ
３１、４１、５１  ルータ
３２、４２、５２、４００  ＲＦＩＤアンテナ装置
４０  企業Ｂ
５０  公共施設
１００、１１０、１２０、３００  携帯電話端末
２００  位置情報および付加情報取得部
２０１  距離計算部
２０２  振動パターンデータ作成部
２０３  情報送信部
３１０、４１０、４６０  受信部
３２０、４２０、４５０  送信部
３３０  付加情報処理部
３４０  デコード部
３５０  認証判定部
３６０  付加情報表示部
３７０  振動制御部
３８０  電話番号メモリ
３９０  認証キーメモリ
４３０  データ合成部
４４０  位置情報および付加情報記憶部
４７０  位置情報および付加情報制御部
【図１】
2008236651.tif 000003
【図２】
2008236651.tif 000004
【図３】
2008236651.tif 000005
【図４】
2008236651.tif 000006
【図５】
2008236651.tif 000007
【図６】
2008236651.tif 000008
【図７】
2008236651.tif 000009
【図８】
2008236651.tif 000010
【図９】
2008236651.tif 000011